(57)【要約】  本発明は毛髪強調用システムに関する。本システムは、装置（１０）及び組成物（５０）を含む。装置（１０）は、第２部分に可動的に結合する第１部分を備える。組成物（５０）は、前記組成物（５０）に対してある重量パーセントの過酸化水素とある重量パーセントのアルカリ化剤を含む。過酸化水素及びアルカリ化剤の重量パーセントは式（Ｉ）：Ｘ＋１．５Ｙ≧１５（Ｉ）で定義され、式中Ｘは組成物（５０）に対する過酸化水素の重量パーセントであり、式中Ｙは組成物（５０）に対するアルカリ化剤の重量パーセントである。前記組成物（５０）は、前記組成物（５０）の少なくとも２重量％の過酸化水素を含み、前記アルカリ化剤はケイ酸ナトリウムと、メタケイ酸ナトリウムと、炭酸水素カリウムと、炭酸アンモニウムと、炭酸水素アンモニウムと炭酸水素ナトリウム、並びにこれらの混合物からなる群から選択される無機塩である。前記組成物（５０）を本明細書に記載される方法で装置（１０）を用いて塗布するとき、強調をもたらすことができる。【特許請求の範囲】
【請求項１】
装置（１０）と、組成物（５０）とを含む毛髪処置用システムであって、
前記装置（１０）は、接続部（３０）によって第２部分に可動的に結合される第１部分を備え、前記組成物（５０）は、該組成物（５０）のＸ重量パーセントの過酸化水素と、前記組成物（５０）のＹ重量パーセントのアルカリ化剤とを含み、前記組成物（５０）は、該組成物（５０）の最低２重量％の過酸化水素を含み、前記組成物（５０）中の前記過酸化水素及び前記アルカリ化剤の重量パーセントが式（Ｉ）で定義され、式（Ｉ）は、
Ｘ＋１．５Ｙ≧１５％  （Ｉ）であり、
前記アルカリ化剤は、ケイ酸ナトリウム、メタケイ酸ナトリウム、炭酸水素カリウム、炭酸アンモニウム、炭酸水素アンモニウム及び炭酸水素ナトリウム、並びにこれらの混合物からなる群から選択される無機塩であるシステム。
【請求項２】
前記装置（１０）の前記第１部分は、平板部（１１０）又はくぼみ部（１１５）のいずれか、好ましくはくぼみ部（１１５）であり、前記装置（１）の前記第２部分は、平板部（１２０）又はくぼみ部（１２５）のいずれか、好ましくは平板部（１２０）である、請求項１に記載のシステム。
【請求項３】
前記接続部（３０）がヒンジである、請求項１又は２に記載のシステム。
【請求項４】
前記第１部分は、基部（１１６）と、壁部（１１７）と、周縁部（１１８）とを備えるくぼみ部（１１５）であり、前記基部（１１６）と、前記壁部（１１７）と、前記周縁部（１１８）とは、開口部（２０３）と、前記くぼみ部（１１５）の内部容積（２０４）とを画定し、前記第２部分は、外辺部（１０３）と、内部表面（１２１）と、外部表面（１２２）とを備える平板部（１２０）であり、前記平板部（１２０）の前記内部表面（１２１）は、前記くぼみ部（１１５）の前記開口部（２０３）に対して並置関係になることができる、請求項１〜３のいずれか一項に記載のシステム。
【請求項５】
少なくとも部材（４０）が前記平板部（１２０）の前記内部表面（１２１）から突出する、請求項４に記載のシステム。
【請求項６】
少なくとも第１フィン（７１）、好ましくは第１フィン（７１）及び第２フィン（７２）が前記平板部（１２０）の前記内部表面（１２１）から突出する、請求項４に記載のシステム。
【請求項７】
前記組成物（５０）が過硫酸塩を更に含み、前記過硫酸塩は、過硫酸ナトリウム、過硫酸アンモニウム、過硫酸カリウム及びこれらの組み合わせからなる群から選択される、請求項１〜６のいずれか一項に記載のシステム。
【請求項８】
前記過硫酸塩は、過硫酸アンモニウムと過硫酸カリウムとの混合物を含む、請求項７に記載のシステム。
【請求項９】
前記過硫酸アンモニウムと前記過硫酸カリウムとの前記混合物中の割合が５：９５〜５０：５０である、請求項８に記載のシステム。
【請求項１０】
前記アルカリ化剤は、ケイ酸ナトリウムと炭酸水素塩との混合物である、請求項１〜９のいずれか一項に記載のシステム。
【請求項１１】
前記混合物は、９０：１０〜６０：４０、より好ましくは８５：１５〜７０：３０の割合の前記ケイ酸ナトリウムと前記炭酸水素塩とを含む、請求項１０に記載のシステム。
【請求項１２】
前記組成物（５０）は、１種以上の増粘剤、１種以上のカラーインディケーター及びこれらの組み合わせからなる群から選択される構成成分を更に含む、請求項１〜１１のいずれか一項に記載のシステム。
【請求項１３】
毛髪ストランド、好ましくは毛髪ストランドの束を、請求項４に記載の前記装置（１０）に接触させると共に前記装置（１０）が開いた状態のときに前記平板部（１２０）と前記くぼみ部（１１５）との間に置き、前記平板部（１２０）の前記内部表面（１２１）を前記くぼみ部（１１５）の開口部（２０３）に対して並置関係とし、前記装置（１０）を前記毛髪ストランドの長さに沿って通すことにより、前記毛髪ストランドに組成物（５０）を塗布する方法。
【請求項１４】
１つ以上の装置（１０）と、請求項１〜１２のいずれか一項に記載の前記組成物（５０）を形成するために別個にパッケージ化された少なくとも第１構成成分及び第２構成成分とを含むキットであって、
前記装置（１０）は、第２部分に可動的に結合する第１部分を備え、前記別個にパッケージ化された第１構成成分が過酸化水素を含み、前記別個にパッケージ化された第２構成成分がアルカリ化剤を含み、前記アルカリ化剤は、ケイ酸ナトリウム、メタケイ酸ナトリウム、炭酸水素カリウム、炭酸アンモニウム、炭酸水素アンモニウム及び炭酸水素ナトリウム、並びにこれらの混合物からなる群から選択される無機塩であるキット。
【請求項１５】
前記装置（１０）を使用するための説明書と、前記組成物（５０）を調製及び／又は塗布するための説明書とを更に含む、請求項１４に記載のキット。
【請求項１６】
装置（１０）を用いて毛髪ストランド、好ましくは毛髪ストランドの束を強調するための組成物（５０）の使用であって、
前記装置（１０）は、第２部分に可動的に結合する第１部分を備え、前記組成物（５０）は、該組成物（５０）のＹ重量パーセントのアルカリ化剤と前記組成物（５０）のＸ重量パーセントの過酸化水素とを含み、前記組成物（５０）は、前記組成物（５０）の最低２重量％の過酸化水素を含み、前記過酸化水素及び前記アルカリ化剤の重量パーセントが式（Ｉ）で定義されるかそれより大きく、式（Ｉ）が
Ｘ＋１．５Ｙ≧１５％  （Ｉ）であり、
前記アルカリ化剤は、ケイ酸ナトリウム、メタケイ酸ナトリウム、炭酸水素カリウム、炭酸アンモニウム、炭酸水素アンモニウム及び炭酸水素ナトリウム、並びにこれらの混合物からなる群から選択される無機塩である、組成物（５０）の使用。
【請求項１７】
前記組成物（５０）は、１ｓ-1において１０Ｐａ〜１６０Ｐａ、好ましくは１２Ｐａ〜１２０Ｐａのレオロジーを有する、請求項１６に記載の使用。
【請求項１８】
前記組成物を含む毛髪ストランドの認識される乾燥速度を向上する、請求項１６に記載の使用。
【発明の詳細な説明】
【技術分野】
【０００１】
本発明は、組成物と、２つの可動的に結合された部分を備える装置とを含む毛髪強調用システムに関する。
【背景技術】
【０００２】
強調などの毛髪ストランドに対する効果により、ユーザーは、頭部全体への塗布とは異なる外観を達成することができる。
【０００３】
強調を提供する周知の方法の１つにキャップ・フック式システムがあり、これは、穴のあいたキャップで頭部全体を覆い、その穴からフックを用いて毛髪ストランドの束を引き出すものである。その後、毛髪ストランドの束に過量の強調組成物を塗布し、毛髪にしみこませる。美容室においては、経験を積んだ美容師はキャップ・フック式システムよりホイル式を好む。毛髪ストランドの束を選択し、ホイル上に置いて大量の強調組成物でカバーし、毛髪にしみこませる。この方法は、毛髪ストランドの束をホイル内に包んで完了する。
【０００４】
上記のいずれの方法とも自分自身で行うには難しく、ユーザーの多くは、従来通り美容院へ行き満足できる結果を得ることを好む。毛髪強調用組成物の自宅での塗布を容易にするために、様々な装置が開発されている。これらの装置は、２つの一般的領域に属している。１つの領域は、くし及び／又はブラシをベースとした装置を含み、他の領域には、２つの可動的に結合した部分、例えば２枚の平板部、平板部とくぼみ部、又は２つのくぼみ部などを備える装置を含む。このような装置は、毛髪強調用組成物を収容する第１部分と、第１部分に可動的に結合され、第１部分に対して並置関係の状態にできる第２部分とを備えることを特徴とする。毛髪強調用組成物を部分的に吸収させる目的、及び／又は装置外部への組成物の漏れを防ぐ目的で、これらの部分のいずれかに、不織布、スポンジ、発泡体及びその他繊維状材料を取り付ける場合がある。通常は、毛髪強調用組成物を、毛髪ストランドの束を可動的に結合した部分間に置き、２つの部分を並置関係の状態にすることで装置内に毛髪ストランドの束を挟んで塗布する。続いて、毛髪ストランドの束全長に装置を１〜２回スライドさせることにより、塗布が完了する。
【０００５】
これらの装置のいくつかの例は、当該技術分野において米国特許第３，０３０，９６８号、同第６，０６２，２３１号、同第７，０２５，０６９号、英国出願特許公開第２２４２３５７号、日本国特許公開第１９９９−１７８６３０号、同第２００１−２１１９２５号、及び欧州特許第１４３３３９９号などで開示される。
【０００６】
これらの装置は、潜在的に高精度、安価、かつユーザーフレンドリーであるが、キャップ・フック式又はホイル式システムで使用する毛髪強調用組成物量の、たった３分の１の量しか塗布しない。その結果、これら装置と共に使用する市販の毛髪強調用組成物では、ユーザーが当然のように期待する結果をもたらさない場合がある。
【先行技術文献】
【特許文献】
【０００７】
【特許文献１】米国特許第３，０３０，９６８号
【特許文献２】米国特許第６，０６２，２３１号
【特許文献３】米国特許第７，０２５，０６９号
【特許文献４】英国出願特許公開第２２４２３５７号
【特許文献５】日本国特許公開第１９９９−１７８６３０号
【特許文献６】日本国特許公開第２００１−２１１９２５号
【特許文献７】欧州特許第１４３３３９９号
【発明の概要】
【発明が解決しようとする課題】
【０００８】
したがって、当該技術分野において未だ解決すべきなのは、２つの可動的に結合した部分を備える装置で毛髪強調用組成物を提供することである。
【０００９】
あるシステム（以下で定義）が、上記技術的問題を克服できることが、今では判明している。
【課題を解決するための手段】
【００１０】
本発明により毛髪処置用システムが提供され、前記システムは装置（１０）と組成物（５０）を包含し、前記装置（１０）は接続部（３０）により第２部分に可動的に結合する第１部分を備え、前記組成物（５０）は組成物（５０）のＸ重量パーセントの過酸化水素と組成物（５０）のＹ重量パーセントのアルカリ化剤とを含み、前記組成物（５０）は組成物（５０）の最低２重量パーセントの過酸化水素を含み、前記組成物（５０）中の過酸化水素とアルカリ化剤のパーセンテージは式（Ｉ）で定義され、式（Ｉ）は
Ｘ＋１．５Ｙ≧１５％  （Ｉ）であり、
前記アルカリ化剤は、ケイ酸ナトリウム、メタケイ酸ナトリウム、炭酸水素カリウム、炭酸アンモニウム、炭酸水素アンモニウム、及び炭酸水素ナトリウム、並びにこれらの混合物からなる群から選択される無機塩である。
【００１１】
更に、組成物（５０）を装置（１０）を用いて毛髪ストランドに塗布する方法、及び、１つ以上の装置（１０）と、組成物（５０）を形成する別個にパッケージ化された構成成分とを含むキットについて記載される。最後に、第２部分に可動的に結合する第１部分を備える装置（１０）を使用して、毛髪ストランドの強調することを目的とした本発明の組成物（５０）の使用について記載される。
【図面の簡単な説明】
【００１２】
【図１】前記装置（１０）と前記組成物（５０）を含む本発明のシステムの斜視図。この実施形態では、前記装置（１０）は、接続部（３０）を介して別の平板部（１２０）に可動的に結合される平板部（１１０）を備える。前記後者の平板部（１２０）は内部表面（１２１）を含み、その上面には材料（６０）が置かれる。組成物（５０）は、ここでは材料（６０）上に載っている。
【図２Ａ】本発明の前記装置（１０）の実施形態の斜視図。平板部（１２０）は、接続部（３０）によりくぼみ部（１１５）に可動的に結合される。くぼみ部（１１５）は、基部（１１６）と、壁部（１１７）と、周縁部（１１８）を備え、これら全体で開口部（２０３）及びくぼみ部（１１５）の内部容積（２０４）を画定する。封止手段（４０１）は、基部（１１６）の一部で壁部（１１７）に近接し、接続部（３０）の一側面に位置する。この実施形態では、２つの実質的に同一の半球部（４０２、４０３）によって表される２か所の止め具機構が、周縁部（１１８）上に位置する。前記平板部（１２０）は、外部表面（１２２）と、内部表面（１２１）と、前記平板部（１２０）の内部表面（１２１）から突出する部材（４０）とを含む。
【図２Ｂ】図２Ａに示される前記装置（１０）の平板部（１２０）の内部表面（１２１）の図。軸線Ｙは、前記平板部（１２０）の中心をまっすぐに延び、前記接続部（３０）を、好ましくは接続部（３０）に対して垂直に横切る。部材（４０）は、前記内部表面（１２１）に沿って、その最大長（Ｌ）で延びる。
【図２Ｃ】図２Ｂに示される前記平板部（１２０）の中心を軸線Ｙに対して垂直に切り取った断面図。前記平板部（１２０）は、外辺部（１０３）と、外部表面（１２２）と、部材（４０）が最大高さ（Ｈ）で突出し、最大幅（Ｗ）で内部表面（１２１）に沿って延びる前記内部表面（１２１）を含む。前記近位基部（４１）及び遠位基部（４２）も示されている。
【図３Ａ】本発明の装置（１０）の斜視図であり、前記装置（１０）は、前記平板部（１２０）に接続部（３０）で可動的に結合するくぼみ部（１１５）を備え、前記平板部（１２０）は軸線Ｙを含み、内部表面（１２１）と外部表面（１２２）を有する。前記平板部（１２０）の内部表面（１２１）は、前記くぼみ部（１１５）の開口部（ここには図示せず）に並置される。前記くぼみ部（１１５）の壁部（１１７）の一部が除かれ、第１フィン（７０）及び第２フィン（７１）が見える。第１フィン（７０）及び第２フィン（７１）は、前記平板部（１２０）の内部表面（１２１）から別個に突出する。各々の前記フィン（７０、７１）は、遠位縁（８０、８１）及び近位縁（９０、９１）を含む。前記近位縁（９０、９１）は、前記平板部（１２０）の内部表面（１２１）に接着されたものであり、一方前記遠位縁（８０、８１）は、この実施形態では一方がもう一方の方向へ傾く。
【図３Ｂ】図３Ａに示される前記装置（１０）の前記平板部（１２０）の内部表面（１２１）の図。軸線Ｙは、前記平板部（１２０）の中心から直線的に延び、前記接続部（３０）を横切る。第１フィン（７０）及び第２フィン（７１）は、前記内部表面（１２１）から別個に突出する。近位縁（９０、９１）は両方とも前記軸線Ｙと平行に延びる。
【図３Ｃ】図３Ａ及び３Ｂに示される前記平板部（１２０）の中心を軸線Ｙに対して垂直に切り取った断面図。実質的に同様のフィン（７０、７１）が前記内部表面（１２１）から突出し、内部表面と共に２つの実質的に同等の角度α及びβを形成する。前記フィン（７０、７１）は、実質的に同等の平均長さ（Ｌ１、Ｌ２）で延び、これらの遠位縁（８０、８１）は、一方がもう一方の方向へ傾く。
【図４】接続部（３０）により第２部分に可動的に結合される第１部分を備える装置（１０）の実施形態の斜視図。前記組成物（５０）は、前記部分の一方に置かれる。
【図５】式（Ｉ）で定義される、前記組成物（５０）中における、本明細書で記載する過酸化水素のパーセンテージＸとアルカリ化剤のパーセンテージＹ間の関係。発明を実施するための形態で特に言及するデータポイントは、本明細書中で使用する番号に対応させて示す。
【発明を実施するための形態】
【００１３】
本発明の目的では、毛髪という用語は、生きている毛髪、すなわち、生物上の毛髪と、生きていない毛髪、すなわち、かつら、ヘアピース、又は生きていないケラチン繊維の他の集合体との両方を指す。哺乳類、好ましくはヒトの毛髪が意図される。
【００１４】
本発明の目的では、「毛髪ストランド」という用語は単数のケラチン性繊維を意味し、「毛髪ストランドの束」という用語は、本明細書で意味する複数の毛髪ストランドを意味する。
【００１５】
本発明は、本明細書に記載する特徴が上記技術的問題を解決するために本発明中で選択される特定の関係で組み合わされるとき、それらが有する相乗関係によって特徴付けられる。
【００１６】
本発明の毛髪処置用システムは、装置（１０）と組成物（５０）とを含む。前記装置（１０）は、第２部分に可動的に結合される第１部分を備え、前記装置（１０）の第１部分は平板部（１１０）又はくぼみ部（１１５）のいずれかであってもよく、好ましくは前記第１部分はくぼみ部（１１５）であり、前記装置（１０）の前記第２部分は平板部（１２０）又はくぼみ部（１２５）のいずれかであってもよく、好ましくは前記装置（１０）の第２部分は平板部（１２０）である。前記第１部分がくぼみ部（１１５）のとき、好ましくは前記くぼみ部（１１５）は、基部（１１６）と、壁部（１１７）と周縁部（１１８）を備える。前記基部（１１６）と、壁部（１１７）と周縁部（１１８）は、開口部（２０３）及び前記くぼみ部（１１５）の内部容積（２０４）を画定する。前記内部容積（２０４）は、好ましくは、前記組成物（５０）を収容するためにある。好ましくは、前記第２部分が平板部（１２０）のとき、前記平板部（１２０）は、外辺部（１０３）と、内部表面（１２１）と外部表面（１２２）を備える。前記平板部（１２０）の内部表面（１２１）は、前記くぼみ部（１１５）の開口部（２０３）に対し並置関係とすることができる。好ましくは、少なくとも１つの部材（４０）又は第１フィン（７０）は、前記平板部（１２０）の内部表面（１２１）から突出する。より好ましくは、第１フィン（７０）及び第２フィン（７１）は、前記平板部（１２０）の内部表面（１２１）から突出する。不織布、発泡体及びこれらの組み合わせからなる群から選択される材料（６０）を、好ましくは前記第１部分上及び／又は第２部分上に置くことができる。より好ましくは、前記材料（６０）を、前記くぼみ部（１１５）の壁部（１１７）の前記周縁部（１１８）に置く。より好ましくは、前記材料（６０）を前記くぼみ部（１１５）の前記壁部（１１７）の前記周縁部（１１８）に、更には前記平板部（１２０）の前記内部表面（１２１）の前記外辺部（１０３）にも置く。
【００１７】
前記組成物（５０）は、前記組成物（５０）のＸ重量パーセントの過酸化水素と前記組成物（５０）のＹ重量パーセントのアルカリ化剤とを含有する。前記組成物（５０）は、前記組成物（５０）の少なくとも最低約２重量％の過酸化水素を含有する。前記組成物（５０）中の前記過酸化水素及び前記アルカリ化剤の重量パーセントは、式（Ｉ）で定義される。
【００１８】
Ｘ＋１．５Ｙ≧１５％  （Ｉ）
【００１９】
組成物（５０）に含まれる前記アルカリ化剤は、ケイ酸ナトリウム、メタケイ酸ナトリウム、炭酸水素カリウム、炭酸アンモニウム、炭酸水素アンモニウム及び炭酸水素ナトリウム、並びにこれらの混合物からなる群から選択される無機塩である。あるいは、前記アルカリ化剤を有機塩としてもよい。
【００２０】
市販の毛髪強調用組成物は、選択した毛髪ストランドの束全体に完全に塗布することが推奨される。ブラシ、くし又は更には指を用いる場合、このような自己塗布は比較的容易であるが、おそらく清潔さ、正確さ、塗布後の短時間での乾燥に欠けるであろう。２つの可動的に結合する部分を備える装置（１０）を用いる場合、家庭での塗布が清潔かつ適切に行われるように、組成物（５０）を正確に塗布することが可能である。このような装置（１０）は安価で軽量、かつユーザーフレンドリーであるが、大きな欠点がある。この欠点は、このような装置（１０）が毛髪ストランド、好ましくは毛髪ストランドの束に塗布することができる組成物の量に関係する。本発明の発明者らは、３種類の実施形態が図１〜３に示される、このようなタイプの装置（１０）を用いると、毛髪１グラムあたりに塗布される毛髪強調用組成物量が、約０．５グラム〜約１．０グラムであることを見出した。このことにより、認知される乾燥速度を向上することもできる。
【００２１】
装置（１０）は以下のように製造された。長さ約１０ｃｍ、幅約５ｃｍの厚紙１片を、ほぼ中間の長さで折り、接続部（３０）で第２部分に可動的に結合する第１部分を得た。前記第１部分及び第２部分は並置関係の状態にできた。前記第１部分及び第２部分のそれぞれは、約２５ｃｍ2の表面積を有していた。長さ及び幅が約５ｃｍの不織布、リベルテックス（Libeltex）０１−７６６  ＤＩ−８を、前記第１部分及び第２部分の各並置側に置いた。不織布リベルテックス（Libeltex）０１−７６６  ＤＩ−８片を両面接着テープ（３Ｍ（商標）４６５）を用いて接着した。この装置（１０）を用い、毛髪ストランドの束に、前記装置（１０）で塗布される毛髪強調組成物の量を評価した。約４グラムのレヴロン（Revlon）（商標）カスタムエフェクツ（Custom Effects）（商標）Ｈ１０（レヴロン（Revlon）（商標）、米国内で２００７年６月に購入）を、不織布リベルテックス（Libeltex）０１−７６６  ＤＩ−８上の一部に置いた。約０．３０グラム、長さ約３０．５ｃｍの毛髪ストランドの束（コーカサスライトブラウン（Caucasian Light Brown）−インターナショナル・ヘアー・インポーツ・アンド・プロダクツ（International Hair Imports and Products）、ニューヨーク州ヴァルハラ（Valhalla））の上端を接着剤と結束バンドでまとめた。毛髪ストランドの束を、不織布リベルテックス（Libeltex）０１−７６６  ＤＩ−８で覆われた並置側上の、前記可動的に結合された第１部分と第２部分との間に配置した。前記第１部分及び第２部分を並置関係の状態にし、前記毛髪ストランドの束の長さに沿って前記装置（１０）をスライドさせた。スライド操作を２回繰り返した。前記組成物の塗布前後における毛髪ストランドの束の重量の差により、前記毛髪ストランドの束に塗布された組成物量を計算した。この実験を３回繰り返し、結果を平均して平均毛髪上塗布量を得た。その量は、毛髪１グラムあたり組成物約０．８グラムとなった。
【００２２】
市販の毛髪強調用組成物のほとんど全てに、過酸化水素とアルカリ化剤が含まれる。しかし、これら市販の組成物内に含有される過酸化水素とアルカリ化剤の重量パーセントは、毛髪１グラムあたり組成物が約０．５グラム〜約１．０グラム量で毛髪に塗布されることを考慮していない。
【００２３】
装置（１０）による平均毛髪上塗布量測定に上記で使用したものと同じ組成物（レヴロン（Revlon）（商標）カスタムエフェクツ（Custom Effects）（商標）Ｈ１０）（以下、テスト組成物と呼ぶ）を、製造業者指定の方法で調製した。過酸化水素を含む構成成分とアルカリ化剤を含む構成成分とを混合し、テスト組成物の約７重量％の過酸化水素を含有するテスト組成物を得た。アルカリ化剤の量は、テスト組成物の約２．７重量％と推測された（図５、データポイント（１））。約１．２グラム量の前記テスト組成物を、毛髪１グラムあたり０．８グラムのテスト組成物が塗布されるように、約１．５グラムのライトブラウンの毛髪ストランドの束（インターナショナル・ヘアー・インポーツ・アンド・プロダクツ（International Hair Imports and Products）、ニューヨーク州ヴァルハラ（Valhalla））に均一に塗布した。毛髪ストランドの束を３０分間３０℃で放置した。続いて、毛髪ストランドの束を水で１分間すすぎ、２４時間空気乾燥した。この実験を、２つの別の毛髪ストランドの束に対して繰り返した。ミノルタ（Minolta）分光分析装置ＣＭ−３６００ｄ（積分球、Ｄ６５規格、観測角１０°）を用い、各毛髪ストランドの束に対して６回の測定値を記録して平均することにより平均色測定を行い、明度（Ｌ）を得た。塗布前（Ａ）及び塗布後（Ｂ）に得られた明度を表１で報告する。同様に、ただし、毛髪１グラムあたり約４グラムのテスト組成物が塗布されるように、約１．５グラムの毛髪ストランドの束に約６グラムのテスト組成物を塗布し、実験を再度繰り返した。この量は、キャップ・フック式システム又はホイル式システムにより毛髪に塗布されるテスト組成物の概略量を意味する。塗布前（Ｃ）及び塗布後（Ｄ）に得られた明度をこちらも表１で報告する。
【００２４】
明度、すなわちＬは、別名ＣＩＥＬＡＢ色空間として知られるＣＩＥ  １９７６（Ｌ*ａ*ｂ）色空間で使用される明るさ／暗さの測定値である。Ｌの尺度は、黒である０から白である１００となる。Ｌ値は毛髪の明るさを測定するパラメーターとして用いられ、したがって、異なる毛髪強調用組成物の定量化が可能となる。未処置の毛髪と組成物塗布後の毛髪で測定したＬ値との差はΔＬであり、組成物が既定時間内にもたらした明るさの量の計測値である。ΔＬは式（ＩＩ）で与えられる。
【００２５】
ΔＬ＝Ｌ（塗布後）−Ｌ（未処置の毛髪）      （ＩＩ）
【００２６】
ΔＬ値が高いほど、得られた明るさの程度と視認性が高くなる。明るさの程度は、当業者には「色落ち度」という用語で呼ばれることも多い。毛髪強調用組成物のユーザーは、ライトブラウンの毛髪において、少なくとも１４ΔＬの明るさを期待するのが一般的である。
【００２７】
【表１】
2010527732.tif 000002
【００２８】
表１からわかるように、前記テスト組成物などの標準的な市販組成物を毛髪１グラムあたり０．８グラムで塗布するとき、得られたΔＬ値は、この種の組成物が約１４ΔＬの十分に視認可能な色落ちをもたらさないことを反映している。
【００２９】
ごくわずかな色落ちを期待する特定のユーザーもいるが、多くのユーザーは、特に初めて毛髪に強調を入れる場合は、視認可能な、すなわち顕著な色落ちを達成することを目標とする。視認可能な強調とは、例えば、上述の標準的な市販組成物で得られる値よりも約３単位大きいＬ値変化に相当する。
【００３０】
驚くべきことに、本発明の発明者らは、前記組成物（５０）が毛髪１グラムあたり約０．５グラム〜約１．０グラムで供給されるとき、期待される最終結果をもたらすために、非常に限定した数学的関係で前記組成物（５０）に対する過酸化水素とアルカリ化剤の重量パーセントを制御することを見出した。
【００３１】
この数学的関係とは、式（Ｉ）で表される。
【００３２】
Ｘ＋１．５Ｙ≧１５％  （Ｉ）
式中、Ｘは前記組成物（５０）の重量に対する過酸化水素のパーセンテージであり、Ｙは前記組成物（５０）の重量に対するアルカリ化剤のパーセンテージである。
【００３３】
更に驚くべきことに、本発明の発明者らは、本明細書に記載する技術的効果を得るために、前記アルカリ化剤は前記組成物（５０）のＹ重量パーセントで存在するだけではなく、前記アルカリ化剤は、ケイ酸ナトリウム、メタケイ酸ナトリウム、炭酸水素カリウム、炭酸アンモニウム、炭酸水素アンモニウム及び炭酸水素ナトリウム、並びにこれらの混合物からなる群から選択される無機塩でなくてはならないことも見出した。
【００３４】
更に本発明の発明者らは、前記組成物（５０）の少なくとも約２重量％の過酸化水素の存在が必要であることも見出した。理論に束縛されるものではないが、過酸化水素が前記組成物（５０）の約２重量％未満で存在するとき、未処置の毛髪に少なくとも視認可能な色落ちをもたらすには、必要とされる前記組成物（５０）中アルカリ化剤の重量パーセントでは、前記組成物（５０）のｐＨが非常に塩基性に偏ると考えられている。毛髪強調用組成物のｐＨは好ましくは約９．５〜約１０．５、より好ましくは約９．７〜約１０．４である。約１０．５を超えてｐＨが上昇すると、毛髪を損傷しやすく、繊維の切断、強調後の濡れた状態での感触の悪さ、櫛通りの悪さ、及び輝きの悪さの原因となる。加えて、前記組成物（５０）の約１２重量％を超える過酸化水素のパーセンテージは、視認可能な、すなわち顕著な色落ちをもたらすことができるものの、混合前の構成成分が前記組成物の約１２重量％を超える量の過酸化水素を含有していることは、商業的に実現不可能である。したがって、前記組成物（５０）は、前記組成物（５０）の約２重量％〜約１１重量％の過酸化水素、好ましくは前記組成物（５０）の約２重量％〜約１０重量％の過酸化水素を含有する。
【００３５】
以下の表２は、いくつかの組成物（５０）の例と、少なくとも１４ΔＬの色落ちを得るために式（Ｉ）で要求される前記組成物（５０）に対する過酸化水素及びアルカリ化剤の重量パーセントを示す。表２に示される前記組成物（５０）は、目視で均一になるまで混合し、混合直後、約１．５グラム重量の毛髪ストランドの束（インターナショナル・ヘアー・インポーツ・アンド・プロダクツ（International Hair Imports and Products）、ニューヨーク州ヴァルハラ（Valhalla））にそれぞれ約１．２グラムの量を塗布した。したがって、塗布した組成物（５０）量は毛髪１グラムあたり０．８グラムであった。
【００３６】
表２に示すこれら３種の組成物（５０）は、前記組成物（５０）の約１２重量％の過硫酸アンモニウム及び過硫酸カリウムを更に含む。前記過硫酸アンモニウムと過硫酸カリウムの割合は約１５：８５である。
【００３７】
【表２】
2010527732.tif 000003
【００３８】
過酸化水素が前記組成物（５０）の約２重量％のとき、表２及び図５のデータポイント（２）に示すように、アルカリ化剤は、少なくとも前記組成物（５０）の約８．６６重量％となる。図５のデータポイント（３）に示すように、前記組成物（５０）に対するアルカリ化剤の重量パーセントが約８．６重量％より大きくなると、表２のデータポイント（３）に示すように明らかに前記組成物（５０）より高い色落ちをもたらすことができ、ここで過酸化物濃度は約２％でアルカリ化剤濃度は約１２％である。
【００３９】
引き続き、少なくとも視認可能な色落ち度を得ながらも、前記組成物（５０）に対するアルカリ化剤の重量パーセントを下げるには、式（Ｉ）に従って、前記組成物（５０）に対する過酸化水素の重量パーセントを上げる必要がある。したがって、前記組成物（５０）の約５重量％のアルカリ化剤が望まれる場合、図５のデータポイント（４）に示すように、前記組成物（５０）の少なくとも約７．５重量％の過酸化水素を含有しなくてはならない。ΔＬ値で表される、未処置の毛髪に対する強調後の色落ちは、表２のデータポイント（４）に示される。
【００４０】
好ましくは、前記組成物（５０）は、前記組成物（５０）に対する過酸化水素の重量パーセントに前記組成物（５０）に対するアルカリ化剤の重量パーセントの１．５倍を足して、少なくとも約１７重量％、より好ましくは少なくとも約２０重量％、更により好ましくは前記組成物（５０）の約２０重量％を超える量を含有する。
【００４１】
本発明の前記組成物（５０）は、好ましくは前記組成物（５０）に対して約３重量％〜約１２重量％、より好ましくは約４重量％〜約１０重量％、更に、より好ましくは約５重量％〜約９重量％のアルカリ化剤を含む。本発明の前記組成物（５０）は、好ましくは前記組成物（５０）に対して約２重量％〜約１１重量％、より好ましくは約３重量％〜約１１重量％、更に、より好ましくは約３重量％〜約９重量％の過酸化水素を含む。
【００４２】
毛髪強調用組成物
１．過酸化水素
組成物（５０）で使用する過酸化水素は、好ましくは水溶液で、安定性を向上させる添加剤を含む状態で提供される。供給元として、活性成分量３５重量％、５０重量％、６０重量％、及び７０重量％の過酸化水素を販売するソルベイグループ（Solvay Group）が挙げられる。
【００４３】
２．アルカリ化剤
前記組成物（５０）に存在するアルカリ化剤は、ケイ酸ナトリウム、メタケイ酸ナトリウム、炭酸水素カリウム、炭酸アンモニウム、炭酸水素アンモニウム及び炭酸水素ナトリウム、又はこれらの混合物からなる群から選択される無機塩である。
【００４４】
好ましくは、本発明の前記組成物（５０）に含まれる前記アルカリ化剤は、ケイ酸ナトリウムと炭酸水素塩との混合物である。より好ましくは、前記混合物は、前記ケイ酸ナトリウムと前記炭酸水素塩とを約９０：１０〜約６０：４０で、より好ましくは約８５：１５〜約７０：３０の割合で含む。
【００４５】
また、好ましくは前記アルカリ化剤は、ケイ酸ナトリウムとメタケイ酸ナトリウムとの混合物を含む。
【００４６】
前記組成物（５０）内に任意に存在してもよい追加の無機塩として、塩化ナトリウム、クエン酸アルミニウム、サッカリンカルシウム、サリチル酸カルシウム、クエン酸カルシウム、安息香酸カルシウム、酢酸マグネシウム、アスコルビン酸マグネシウム、塩化アンモニウム、グルコン酸マグネシウム、酢酸カリウム、安息香酸カリウム、クエン酸カリウム、ソルビン酸カリウム、酢酸ナトリウム、アスコルビン酸ナトリウム、クエン酸ナトリウム、グルコン酸ナトリウム、ピルビン酸ナトリウム、炭酸ナトリウム、炭酸マグネシウム及びこれらの混合物が挙げられるが、これらに限定されない。
【００４７】
３．追加の構成成分
本発明の組成物（５０）には、更に過硫酸塩を含めてもよい。前記過硫酸塩は、過硫酸アンモニウム、過硫酸ナトリウム、過硫酸カリウム及びこれらの混合物からなる群から選択される。好ましくは前記組成物（５０）は、前記組成物（５０）の少なくとも約２重量％、より好ましくは少なくとも約４重量％、及び更により好ましくは少なくとも約６重量％の前記無機過硫酸塩を含む。
【００４８】
好ましくは前記過硫酸塩には、過硫酸アンモニウムと過硫酸カリウムの混合物を含む。より好ましくは、前記過硫酸アンモニウムと過硫酸カリウムとの混合物中の割合は、約５：９５〜約５０：５０、更により好ましくは約１０：９０〜約２５：７５である。
【００４９】
前記組成物（５０）は、更に、既知である、従来使用されている、ないしは別の形でヘアトリートメント組成物に、特に酸化脱色用及び染色用組成物に使用するのに有効である成分を含んでもよく、顕色剤と染料との配合物（developer dye compounds）；発色剤配合物（coupler dye compounds）；直接染料、例えば医薬品及び化粧品用オレンジ４号、アシッドイエロー１号、医薬品及び化粧品用赤色２８号、ディスパース赤色１７号、ＨＣ青色１５号、アシッドブルー；酸化剤、還元剤、１種以上の増粘剤、キレート剤、ｐＨ変性剤及び緩衝剤、アルカリ化剤、炭酸塩イオン源及びラジカルスカベンジャー系、グリシン、アモジメチコン、エチレンジアミンジコハク酸（ethylenediamine disuccinic acid）、界面活性剤（アニオン性、カチオン性、非イオン性、両性、若しくは両性イオン性）又はそれらの混合物、ポリマー（アニオン性、カチオン性、非イオン性、両性、若しくは両性イオン性）、疎水性変性ポリマー又はそれらの混合物、香料、分散剤、溶剤、過酸化物安定化剤、キレート剤、湿潤剤、タンパク質及びその誘導体、植物材料（例えば、アロエ、カモミール、及びヘンナ抽出物）、シリコーン（揮発性若しくは不揮発性、変性若しくは未変性）、被膜形成剤、オレオゲル、セルロースポリマー及びその誘導体、セラミド、防腐剤、ゲル網目、１種以上のカラーインディケーター、並びに、二酸化チタン及びウルトラマリンを含む乳白剤が挙げられるが、それらに限定されない。好適ないくつかの補助剤は、国際化粧品成分事典及びハンドブック（International Cosmetics Ingredient Dictionary and Handbook）（第８版、化粧品、洗面用化粧品、及び芳香剤協会（The Cosmetics, Toiletry, and Fragrance Association）に列挙されている。特に、第２巻、３項（化学分類）及び４項（機能）は、特定の目的又は複数の目的を達成するための具体的な補助剤を識別するのに有用である。代表的であるが網羅的ではないポリマー及び増粘剤のリストは、「化粧品用のポリマー及び増粘剤百科事典（The Encyclopaedia of Polymers and Thickeners for Cosmetics）」、ロバート・Ｙ・ロックヘッド（Robert Y. Lochhead）ＰｈＤ及びウィリアム・Ｒ・フロン（William R. Fron）編集・監修、南ミシシッピ大学（University of Southern Mississippi）、ポリマー科学学部（Department of Polymer Science）に見出すことができる。
【００５０】
装置
本発明のシステムは、装置（１０）を含む。前記装置（１０）は、第２部分に可動的に結合される第１部分を備える。前記第１部分を平板部（１１０）又はくぼみ部（１１５）のいずれかであってもよく、好ましくは前記第１部分はくぼみ部（１１５）である。前記第２部分を平板部（１２０）又はくぼみ部（１２５）のいずれかであってもよく、好ましくは前記第２部分は平板部（１２０）である。
【００５１】
本発明の前記装置（１０）の平板部（１２０）及びくぼみ部（１１５）は人間工学的な寸法であり、そのため容易にいずれかの手にフィットさせることができる。前記平板部（１２０）の形状は可変としてもよい。矩形、正方形、円形、楕円形、長円形又はこれらの組み合わせは、製造し易いため有用である場合があるが、他の形状、特に消費者によって容易に認識される形状を使用してもよい。
【００５２】
前記平板部（１２０）は外辺部（１０３）と、内部表面（１２１）と外部表面（１２２）を含む。前記くぼみ部（１１５）は基部（１１６）と、壁部（１１７）とを含み、前記壁部（１１７）は周縁部（１１８）を含む。前記基部（１１６）と、前記壁部（１１７）と前記周縁部（１１８）は、開口部（２０３）と前記くぼみ部（１１５）の内部容積（２０４）を画定し、ここで前記内部容積（２０４）は、好ましくは前記組成物（５０）を収容するためのものである。前記平板部（１２０）の前記外辺部（１０３）と、前記くぼみ部（１１５）の前記壁部（１１７）の前記周縁部（１１８）とは、曲線状又は直線状としてもよい。これらの形状とは無関係に、好ましくは前記平板部（１２０）の外辺部（１０３）は、前記くぼみ部（１１５）の周縁部（１１８）と実質的に同じように伸長延びる。
【００５３】
前記平板部（１２０）の前記内部表面（１２１）及び前記外部表面（１２２）、並びに前記くぼみ部（１１５）の前記基部（１１６）及び前記壁部（１１７）は、内部表面（１２１）及び／又は前記外部表面（１２２）及び／又は前記底部（１１６）及び／又は前記壁部（１１７）とは視認可能及び／又は触知可能な相違を有する、１つ以上の領域を更に含んでもよい。視認可能又は触知可能な相違は、色及び／又は色合いの相違、パターン、マーキング、及び／又はエンボスの相違を含む。これらの視認可能又は触知可能な相違、色及び／又は色合いの相違、パターン、マーキング、及び／又はエンボスの相違、特にくぼみ部（１１５）にある相違を、前記装置（１０）への組成物（５０）の収容場所や収容量を示すのに用いることができる。
【００５４】
前記平板部（１２０）の前記内部表面（１２１）は、好ましくは実質的に平らであり、一方、前記平板部（１０）の前記外部表面（１２２）、前記くぼみ部（１１５）の前記基部（１１６）及び前記壁部（１１７）はそれぞれ実質的に平ら又は曲線であってもよい。好ましくは、前記くぼみ部（１１５）の前記基部（１１６）は実質的に平らである。前記内部表面（１２１）が実質的に平らであるとき、その表面積は、好ましくは約２ｃｍ2〜約１５０ｃｍ2、好ましくは約２ｃｍ2〜約７０ｃｍ2、より好ましくは約３ｃｍ2〜約５０ｃｍ2、更により好ましくは約４ｃｍ2〜約３０ｃｍ2である。
【００５５】
前記平板部（１２０）及び／若しくは前記くぼみ部（１１５）、又はこれらの少なくとも一部は、１つ以上の空隙、１つ以上のＶ型若しくはＵ型の溝又はこれらの組み合わせを備えてもよい。前記空隙又は溝は、前記内部表面（１２１）、前記外部表面（１２２）、前記基部（１１６）、前記壁部（１１７）又はこれらの組み合わせに別個に位置してもよい。
【００５６】
前記平板部（１２０）及び前記くぼみ部（１１５）を、必要に応じてポリオレフィン、アクリロニトリルブタジエンスチレン、板紙などの可撓性の柔軟な基材、及び、特にポリカーボネート、これらの組み合わせなどの任意の周知の材料から製造することができる。有用な製造方法には、射出成形、共射出成形及び特に真空成形、並びにこれらの組み合わせが挙げることができる。
【００５７】
材料（６０）を前記装置（１０）の前記第１部分上及び／又は第２部分上に置くことができる。前記材料（６０）は好ましくは、不織布、発泡体及びこれらの組み合わせからなる群から選択される。１つの実施形態を図１に示しており、ここでは円盤状の材料（６０）を前記平板部（１２０）の前記内部表面（１２１）上に置いている。別の実施形態を図４に示しており、ここでは不織布リベルテックス（Libeltex）０１−７６６  ＤＩ−４を、可動的に結合する第１部分及び第２部分の両方に置いている。好ましくは、不織布リベルテックス（Libeltex）０１−７６６  ＤＩ−８を前記くぼみ部（１１５）の前記壁部（１１７）の前記周縁部（１１８）に置き、更により好ましくは、前記不織布リベルテックス（Libeltex）０１−７６６  ＤＩ−４を前記平板部（１２０）の前記内部表面（１２１）に前記外辺部（１０３）に沿って置く。
【００５８】
前記材料（６０）を、取り外し可能に、又は持続的に、前記装置（１０）の前記第１部分上及び／又は第２部分上に置くことができる。前記材料（６０）を取り付けるのに適した、いずれの方法も、その方法が前記材料（６０）の性能を損なわない又は変化させないことを条件として、本明細書で使用してもよい。前記材料（６０）の取り付けに有用な方法には、熱溶接、接着、及び特に押出成層、並びにこれらの組み合わせが挙げられる。前記装置（１０）が閉じた状態のとき、前記材料（６０）を含む前記第１部分及び第２部分が実質的に並置されるように、好ましくは前記材料（６０）は前記装置（１０）の第１部分及び第２部分の両方に置かれる。前記材料（６０）があることで、毛髪処置用組成物をより均一に塗布させ、組成物が装置（１０）の外に滴り出ることを防ぐ。
【００５９】
前記装置（１０）の第１部分及び第２部分は可動的に結合される。前記第１部分及び第２部分は、接続部（３０）を介して可動的に結合されてもよい。好ましくは、接続部（３０）は、前記平板部（１２０）及びくぼみ部（１１５）に可動的に結合される。装置（１０）中に接続部（３０）は不可欠であり、装置（１０）にわたっての制御に対するユーザー感覚を向上し、片手を使って、各毛髪ストランドの束まで正確にかつ容易に装置（１０）を誘導できるようにする。
【００６０】
前記平板部（１２０）及び前記くぼみ部（１１５）が可動的に結合されていることと、前記平板部（１２０）と前記くぼみ部（１１５）との間に接続部（３０）があることで、前記装置（１０）を、開いた状態から閉じた状態に替えることが可能である。図１及び２には、前記装置（１０）を開いた状態で示す。図３Ａに示すように、前記装置（１０）が閉じた状態のとき、前記平板部（１２０）の内部表面（１２１）は、前記くぼみ部（１１５）の前記開口部（２０３）と並置関係にある。前記平板部（１２０）及び前記くぼみ部（１１５）は、接続部（３０）の周りを回転して開いた状態から閉じた状態に替えてもよく、１つの実施形態では、装置（１０）が開いた状態で、ユーザーが前記平板部（１２０）の前記外部表面（１２２）と前記くぼみ部（１１５）に圧力を加え、装置（１０）を閉じた状態にする。前記平板部（１２０）及び前記くぼみ部（１１５）を閉じた状態から開いた状態に戻すために、前記平板部（１２０）の前記外部表面（１２２）又は前記くぼみ部（１１５）のどちらにも、ユーザーの指で使用するための１つ以上の嵌合手段が別個に提供されてもよく、又は接続部（３０）自体が、好ましくは戻しばねによって前記平板部（１２０）と前記くぼみ部（１１５）を当初の向きに戻せてもよい。
【００６１】
平板部（１２０）及びくぼみ部（１１５）は、接続部（３０）に対する上述の要件を満たす任意の好適な手段（ユーザーの手、例えば親指と人差し指によるものを含む）をを介して接続される。１つの実施形態では、前記平板部（１２０）及び前記くぼみ部（１１５）は、ピンセット様又はトング様の接続部（３０）のアームの末端に取り付けられる。他の実施形態では、前記平板部（１２０）及び前記くぼみ部（１１５）は１つ以上のヒンジを介して接続され、好ましくは前記接続部（３０）がヒンジである。
【００６２】
装置（１０）は、１つ以上の封止手段を更に備えてもよく、好ましくは１つの封止手段（４０１）が装置（１０）内に存在する。図２Ａに示すように、前記封止手段（４０１）は、前記くぼみ部（１１５）内の前記基部（１１６）上で前記接続部（３０）に隣接した壁部（１１７）に位置してもよい。前記封止手段（４０１）は、接続部（３０）側の前記壁部（１１７）に隣接した前記くぼみ部（１１５）の基部（１１６）上、又は前記接続部（３０）に隣接した内部表面（１２１）に位置してもよい。好ましくは前記封止手段（４０１）は前記接続部（３０）の一部である。
【００６３】
１つ以上の止め具機構が前記装置（１０）上に組み込まれてもよい。止め具機構は前記接続部（３０）と協動して、前記平板部（１２０）の内部表面（１２１）が、前記くぼみ部（１１５）の前記開口部（２０３）に対して適切に並置関係となるのを確実にする。１つ以上の止め具機構は、前記組成物（５０）が前記くぼみ部（１１５）の前記周縁部（１１８）からはみ出ることを低減することができる。
【００６４】
ある実施形態では、止め具機構を１つ以上の歯、くし様構造の歯群としてもよい。１つの実施形態では、図２Ａに示すように、２つの止め具機構は前記くぼみ部（１１５）の前記壁部（１１８）の前記周縁部（１１７）上に備えられ、好ましくは２つの止め具機構は、ほぼ同一の半球である（４０２、４０３）。ここには示していないが、特定の別の実施形態において、止め具機構を接続部（３０）自体の内部に一体化してもよい。
【００６５】
止め具機構（４０２）の製造に有用な材料として、前記平板部（１２０）の製造用として上述したもの、及びそれらの組み合わせを挙げてもよい。
【００６６】
本発明の１つの実施形態では、図２Ａに示すように、部材（４０）が前記平板部（１２０）の前記内部表面（１２１）から突出する。前記近位基部（４１）は、前記内部表面（１２１）に取り付けられる。本発明の前記装置（１０）の前記平板部（１２０）は軸線Ｙを含む。前記軸線Ｙは、前記平板部（１２０）の中心から実質的に直線的に延び、図２Ｂに示すように、前記接続部（３０）を、好ましくは前記接続部（３０）に対して垂直に横切る。図２Ｂに示すように、前記部材（４０）は最大長（Ｌ）を有する。図２Ｃに示すように、前記部材（４０）は近位基部（４１）及び遠位基部（４２）を含む。図２Ｃに示すように、前記部材（４０）は最大高さ（Ｈ）と最大幅（Ｗ）を有する。前記部材（４０）は、好ましくは前記平板部（１２０）の前記内部表面（１２１）から、前記最大高さ（Ｈ）で軸線Ｙと直交するように突出する。前記部材（４０）は、その最大長（Ｌ）で軸線Ｙに対して横断的に延びてもよい。前記部材（４０）は、その最大長（Ｌ）で、好ましくは軸線Ｙに沿って及び／又は実質的に平行に延びる。
【００６７】
好ましくは、前記最大長（Ｌ）は最大幅（Ｗ）の少なくとも２倍である。最大長（Ｌ）は、好ましくは約２０．０ｃｍ〜約０．２ｃｍ、より好ましくは約１５．０ｃｍ〜約０．３ｃｍ、更により好ましくは約１０．０ｃｍ〜約０．５ｃｍである。最大幅（Ｗ）は、好ましくは約２．５ｃｍ〜約０．０１ｃｍ、より好ましくは約１．０ｃｍ〜約０．０２ｃｍ、更により好ましくは約０．５ｃｍ〜約０．０３ｃｍである。最大高さ（Ｈ）は、好ましくは約５．０ｃｍ〜約０．１ｃｍ、より好ましくは約２．５ｃｍ〜約０．２ｃｍ、更により好ましくは約１．５ｃｍ〜約０．３ｃｍである。
【００６８】
部材（４０）は、平行六面体形、立方体形、円筒形、円錘形又は角錘台形などを非限定的に含む様々な形状としてもよい。図２Ａに示す本発明の実施形態では、前記部材（４０）は、好ましくは実質的に角錘台形である。
【００６９】
ここには示していないが、他の実施形態では、前記部材（４０）は、前記平板部（１２０）の前記内部表面（１２１）から出る２本のピンによって、円形基部を介して前記内部表面（１２１）に回転的に嵌合する円筒を含む。
【００７０】
前記装置（１０）が閉じた状態のとき、前記部材（４０）の前記遠位基部（４２）は前記くぼみ部（１１５）の前記基部（１１６）に接触しないため、通過部が残されており、前記毛髪ストランド、好ましくは毛髪ストランドの束は拘束されない。
【００７１】
理論に束縛されるものではないが、部材（４０）が存在することで、毛髪ストランドを曲げて前記くぼみ部（２０）内に毛髪ストランドを挿入しやすくし、それにより前記組成物（５０）と毛髪ストランドが接触すると考えられている。これにより毛髪ストランドへ前記組成物（５０）を均一に塗布させる。
【００７２】
前記部材（４０）の製造用材料は、前記平板部（１２０）の製造用として上述したもの及びそれらの組み合わせから選択してもよい。
【００７３】
本発明の他の実施形態では、前記装置（１０）は、第１フィン（７０）、好ましくは前記平板部（１２０）の前記内部表面（１２１）からそれぞれ突出する第１フィン（７０）及び第２フィン（７１）を含む。本発明の範囲内で用語「フィン」とは、好ましくは以下に記載するように実質的に一定の厚さを有する、ストリップ状又はシート状の材料と定義する。前記第１フィン（７０）及び／又は第２フィン（７１）の形状は可変であってもよく、好ましくは前記第１フィン（７０）及び／又は第２フィン（７１）は平行六面体形を有し、６面のうち２面が、他の４面の面積よりも少なくとも２倍の面積で拡がる。これらの２面は、好ましくは実質的に平らな表面を有する。前記第１フィン（７０）及び第２フィン（７１）の形状は可変であってもよい。矩形、正方形、円形、楕円形、長円形、又はこれらの組み合わせが、有用である場合がある。図３に示す矩形が好ましい。
【００７４】
理論に束縛されるものではないが、前記第１フィン（７０）存在することで、及び好ましくは前記第２フィン（７１）も存在することにより、毛髪ストランドを曲げて前記くぼみ部（２０）内に毛髪ストランドを挿入しやすくし、それにより前記組成物（５０）と毛髪ストランドを接触させると考えられている。これにより、毛髪ストランドへ前記組成物（５０）を均一に塗布させる。
【００７５】
図３Ｃに示すように、第１フィン（７０）は前記平板部（１２０）の前記内部表面（１２１）から突出し、約１ｍｍ〜約５０ｍｍの平均第１長さ（Ｌ１）で延びる。前記第１フィン（５０）は、前記平板部（１０）の実質的に平らな内部表面（１０１）と約１５°〜約７５°の角度αを形成する。好ましくは、前記平板部（１２０）の前記内部表面（１２１）が実質的に平らであるとき、前記角度αは約３５°〜約５５°、より好ましくは約３５°〜約５０°である。図３Ａ、３Ｂ、及び３Ｃに示すように、好ましくは第２フィン（７１）は、前記平板部（１２０）の前記内部表面（１２１）から前記第１フィン（７０）とは別個に突出し、約１ｍｍ〜約５０ｍｍの平均第２長さ（Ｌ２）で前記第１フィン（７０）とは別個に伸びる。前記第２フィン（７１）は、前記平板部（１２０）の内部表面（１２１）と約１５°〜約７５°の角度βを、前記第１フィン（７０）により形成される角度αとは別個に形成する。好ましくは、前記平板部（１２０）の前記内部表面（１２１）が実質的に平らであるとき、前記角度βは、約３５°〜約５５°、より好ましくは約３５°〜約５０°である。より好ましくは、前記平板部（１２０）の前記内部表面（１２１）は実質的に平らであり、前記第１フィン（７０）及び第２フィン（７１）は、前記実質的に平らな内部表面（１２１）と、約３５°〜約５５°のほぼ同一の角度α及びβを形成する。
【００７６】
各々の前記第１フィン（７０）及び第２フィン（７１）は、遠位縁（８０、８１）及び近位縁（９０、９１）を含む。前記近位縁（９０、９１）は、図３Ａに示す前記平板部（１２０）の前記内部表面（１２１）に取り付けられる。前記近位縁（９０、９１）は、それぞれ別個に前記第１フィン（７０）の第１平均幅（Ｗ１）及び前記第２フィン（７１）の第２平均幅（Ｗ２）で、またそれぞれ別個に前記第１フィン（７０）の第１平均厚さ（Ｔ１）及び前記第２フィン（７１）の第２平均厚さ（Ｔ２）で囲まれる。前記第１平均幅及び第２平均幅である（Ｗ１）及び（Ｗ２）は、好ましくは約２０ｃｍ〜約０．５ｃｍ、より好ましくは約１５ｃｍ〜約１ｃｍであり、一方前記第１平均厚さ及び第２平均厚さ（Ｔ１）及び（Ｔ２）は、好ましくは約５ｍｍ〜約０．１ｍｍ、より好ましくは約４ｍｍ〜約０．５ｍｍである。好ましくは、前記近位縁（９０、９１）は、ほぼ同一の第１平均幅及び第２平均幅（Ｗ１、Ｗ２）とほぼ同一の第１及平均厚さび第２平均厚さ（Ｔ１、Ｔ２）を有する。前記第１フィン及び第２フィン（７０、７１）の前記遠位縁（８０、８１）は、好ましくは前記近位縁（９０、９１）とほぼ同一の寸法を有する。
【００７７】
本発明によると、第１フィン（７０）及び第２フィン（７１）が存在するとき、２つのフィンのどちらを第１フィン（７０）又は第２フィン（７１）とするかは問わない。前記装置（１０）がフィンを１つのみ備えるとき、前記フィンを第１フィン（７０）と呼び、前記装置（１０）が２つのフィンを備えるとき、平均幅が長い方のフィンを第１フィン（７０）と呼ぶ。
【００７８】
前記第１フィン及び第２フィン（７０、７１）は、前記平板部（１２０）の前記内部表面（１２１）から、一方に対して任意の方向で突出してもよい。好ましくは、図３Ａに示すように、前記第１フィン（７０）及び第２フィン（７１）は、前記第１フィン（７０）の前記近位縁（９０）が前記第２フィン（７１）の前記近位縁（９１）に対して実質的に平行になるように内部表面（１２１）から突出する。図３Ａ及び３Ｃに示すように、好ましくは前記第１フィン（７１）の前記近位縁（９０）、より好ましくは前記第１フィン（７１）の前記近位縁（９０）及び前記第２フィン（７１）の前記近位縁（９１）は、内部表面（１２１）から前記平板部（１２０）の軸線Ｙと平行に突出する。
【００７９】
装置（１０）が第１フィン及び第２フィン（７０、７１）を備えるとき、図３Ｂに示すように、前記第１フィン（７０）の前記遠位縁（８０）及び前記第２フィン（７１）の前記遠位縁（８１）は、一方がもう一方の方向へ傾いてよく、あるいは反対方向へ反らしてもよく、あるいは傾きのない同一方向に向けてもよい。
【００８０】
本発明の前記装置（１０）の１つの好ましい実施形態は第１フィン（７０）及び第２フィン（７１）を備え、前記第１フィン及び第２フィン（７０、７１）が実質的に同一の平均長さ（Ｌ１）及び（Ｌ２）で別個に延び、前記平板部（１２０）の前記内部表面（１２１）は実質的に平らであり、前記第１フィン（７０）及び第２フィン（７１）が前記実質的に平らな内部表面（１２１）と約３５°〜約５５°のほぼ同一の角度α及びβを形成し、図３Ａに示すように、前記第１フィン及び第２フィン（７０、７１）が前記平板部（１２０）の前記内部表面（１２１）から、前記遠位縁（８０、８１）の一方がもう一方の方向へ傾くように突出する。
【００８１】
前記第１フィン及び第２フィン（７０、７１）は様々な材料で提供されてもよく、平板部（１２０）の材料として上述したもの、及びポリテトラフルオロエチレン、ラテックス、熱可塑性エラストマー、並びにこれらの組み合わせが挙げられる。好ましくは材料は可撓性である。
【００８２】
使用方法
本発明は更に、毛髪ストランドを本明細書に記載する方法で前記装置（１０）と接触させることによる、毛髪ストランド、好ましくは毛髪ストランドの束への組成物（５０）の塗布方法にも関する。前記装置（１０）は、あらかじめ前記組成物（５０）を収容しておいてもよいが、好ましくは前記組成物（５０）は、毛髪ストランド、好ましくは毛髪ストランドの束と前記装置（１０）が接触する前に前記装置（１０）に載せられる。
【００８３】
毛髪処置用組成物は、任意の手段で装置（１０）上に載せることができる。１つの実施形態では、前記組成物（５０）を、例えば、へらや注射器を用いて、絞り出しチューブ、ディスペンサーボトル、単相若しくは二相ポンプ、容量を排出する単相若しくは二相ピストン、サッシェ、又は任意のその他好適なディスペンサーで塗布し、毛髪処置用組成物を前記くぼみ部（１１５）の内部容積（２０４）内に直接載せる。
【００８４】
前記装置（１０）に前記組成物（５０）を載せた後、ユーザーは、前記平板部（１２０）の外部表面（１２２）とくぼみ部（１１５）とを片手に、好ましくは親指と人差し指との間に挟んで前記装置（１０）を保持する。ユーザーが処置する毛髪ストランドを選択した後、その毛髪ストランド、好ましくは毛髪ストランドの束を前記装置（１０）を開いた状態にして、平板部（１２０）とくぼみ部（１１５）の間に配置する。その後、前記平板部（１２０）の前記内部表面（１２１）を前記くぼみ部（１１５）の開口部（２０３）と並置関係にして、前記装置（１０）を閉じた状態にする。閉じた状態に保持しながら、毛髪ストランドの長さに沿って前記装置（１０）をスライドさせ、前記組成物（５０）を塗布する。より好ましくは、前記装置（１０）を毛髪ストランドの根元線、好ましくは毛髪ストランドの束の根元線に置く。また、毛髪の限られた領域のみに前記組成物（５０）を塗布してもよく、即ち、ユーザーは、毛髪処理組成物で根元線のみをコーティングすることができる。スライド操作を２回以上、好ましくは２回繰り返してもよい。前記組成物（５０）を任意に水及び／又はシャンプーで落とし、次いで必要に応じてスタイリング及び／又は乾燥を行う。
【００８５】
前記組成物（５０）を装置（１０）を用いて、毛髪ストランド、好ましくは毛髪ストランドの束の強調に使用でき、前記組成物（５０）は前記組成物（５０）のＹ重量パーセントのアルカリ化剤及び前記組成物（５０）のＸ重量パーセントの過酸化水素を含有し、前記組成物（５０）は前記組成物（５０）の最低２重量％の過酸化水素を含有し、前記過酸化水素及びアルカリ化剤の重量パーセントは式（Ｉ）で定義されるかそれ以上であり、式（Ｉ）は
Ｘ＋１．５Ｙ≧１５％  （Ｉ）であり、
前記アルカリ化剤はケイ酸ナトリウム、メタケイ酸ナトリウム、炭酸水素カリウム、炭酸アンモニウム、炭酸水素アンモニウム及び炭酸水素ナトリウム、並びにこれらの混合物からなる群から選択される無機塩である。
【００８６】
好ましくは、前記組成物（５０）は、１．０ｓ-1において、約１０Ｐａ〜約１６０Ｐａ、より好ましくは約１２Ｐａ〜約１２０Ｐａ、最も好ましくは１５Ｐａ〜８０Ｐａのレオロジーを有する。
【００８７】
毛髪処置用組成物のレオロジーは、ＴＡインスツルメンツ・アドバンスド・レオメーター（TA Instruments Advanced Rheometer）（ＡＲ）２０００を用いて測定する。この装置は、内半径１５．００ｍｍの同心円基部、及び半径１４．００ｍｍ、高さ４２．００ｍｍの標準寸法の翼状部を備える。間隙形状は４０００マイクロメートルに設定する。２種以上の製剤から作られる毛髪処置用組成物は、これら種々の処方をサンプル容器内で３０秒間、手で振って完全に混合することで調製する。混合した毛髪処置用組成物を、直ちに同心円基部内に置き、翼状部の頂点が毛髪処置用組成物で覆われるように、標準的翼状部を間隙形状まで下げる。温度を２５℃に平衡化し、毛髪処置用組成物を、せん断速度が対数的に約０．０５から約２００ｓ-1まで増加する前に、更に３０秒間放置し、１０進毎に７ポイントを記録する。全ての段階で温度を２５℃に維持する。剪断応力を１．０ｓ-1で記録し、Ｐａで示す。
【００８８】
キット
本発明は、更にキットを含む。前記キットは１つ以上の装置（１０）（ここで前記装置（１０）は第２部分に可動的に結合される第１部分を備える）と、本明細書に記載される組成物（５０）を形成する、少なくとも別個にパッケージ化された第１構成部分及び第２構成成分とを含む。前記別個に別個にパッケージ化された第１構成成分は過酸化水素を含有し、別個にパッケージ化された第２構成成分はアルカリ化剤を含有する。前記アルカリ化剤はケイ酸ナトリウム、メタケイ酸ナトリウム、炭酸水素カリウム、炭酸アンモニウム、炭酸水素アンモニウム及び炭酸水素ナトリウム、並びにこれらの混合物からなる群から選択される無機塩である。
【００８９】
本発明のキットの１つの実施形態では、前記別個にパッケージ化された第１構成成分は、別個にパッケージ化された第１構成成分の約２重量％〜約１２重量％の過酸化水素を含有し、前記別個にパッケージ化された第２構成成分は、別個にパッケージ化された第２構成成分の約１０重量％〜約６０重量％のアルカリ化剤を含有し、別個にパッケージ化された第２構成成分は粉末状又はペースト状であり、別個にパッケージ化された第２構成成分が約２０重量％〜約６０重量％の過硫酸塩を更に含有し、過硫酸塩は過硫酸ナトリウム、過硫酸カリウム、過硫酸アンモニウム及びこれらの混合物からなる群から選択される。前記キットは、第３及びそれ以上の別個にパッケージ化された構成成分を任意に含んでもよい。
【００９０】
本発明の他の実施形態では、前記別個にパッケージ化された第１構成成分は、別個にパッケージ化された第１構成成分の約２重量％〜約１２重量％の過酸化水素を含有し、前記別個にパッケージ化された第２構成成分は、別個にパッケージ化された第２構成成分の約１０重量％〜約１００重量％のアルカリ化剤を含有し、前記アルカリ化剤は、ケイ酸ナトリウム、メタケイ酸ナトリウム、炭酸水素カリウム、炭酸アンモニウム、炭酸水素アンモニウム及び炭酸水素ナトリウム、並びにこれらの混合物からなる群から選択される無機塩であり、別個にパッケージ化された第２構成成分は粉末状又はペースト状であり、前記キットは別個にパッケージ化された第３構成成分を更に含み、別個にパッケージ化された第３構成成分は約２０重量％〜約９５重量％の過硫酸塩を含有し、過硫酸塩は過硫酸ナトリウム、過硫酸カリウム、過硫酸アンモニウム及びこれらの混合物からなる群から選択され、前記キットは第４及びそれ以上の別個にパッケージ化された構成成分を任意に含む。
【００９１】
更なる別個にパッケージ化された構成成分が本発明のキット中にあってもよく、シャンプー、コンディショナー、又はスタイリング製品を含めてもよい。本発明のキットは、毛髪ストランドを選択する手段、くし若しくはブラシ、グローブ、穴あきキャップ、ピンセット、トング（tongues）、フック、又はこれらの組み合わせなどの追加の構成要素を更に含んでもよい。
【００９２】
本発明のキットは、前記装置（１０）の使用法、前記組成物（５０）の調製及び／又は塗布方法に対する説明書を更に含んでもよい。前記説明を、キットのパッケージ自体、紙媒体、コンパクトディスク、ＤＶＤ、ウェブサイトのアドレス、又は分配手段及び／若しくは装置（１０）自体など、任意の種類の媒体に記録してもよい。
【実施例】
【００９３】
以下には、本発明の装置（１０）内に収容され得るいくつかの組成物（５０）例を示す。
【００９４】
組成物（５０）を、過酸化水素相（Ｅ〜Ｋ）約４５グラムと対応するアルカリ化剤相（ｅ〜ｋ）約１５グラムを混合することにより配合した。
【００９５】
【表３】
2010527732.tif 000004
【００９６】
組成物（５０）を、液状の相１（表４の１．１、２．１、３．１、４．１、５．１、６．１、７．１、８．１又は９．１）の任意の製剤約４５ｇと、固体状の相２（表４の１．２、２．２、３．２、４．２、５．２、６．２、７．２、８．２又は９．２）の任意の製剤約１５ｇとを混合することにより調製した。混合は以下のように行った。相２の固体製剤を混合トレイ内に入れ、相１の液体製剤を固体相１の頂点から注いだ。続いてへらを用いて２種類の製剤を混合し、毛髪強調用組成物（５０）を作った。混合は、組成物（５０）が目視で均質になったときに終了した。
【００９７】
【表４】
2010527732.tif 000005
1カーボポール（Carbopol）（商標）９５６、ノベオン社（Noveon Inc.）
2ケルトロール（Keltrol）（商標）Ｔ−ＣＰケルコ（CP Kelco）
3ステアリルアルコール、クロダコール（Crodacol）Ｓ−９５、クローダ社（Croda, Inc.）
4セチルアルコール、クロダコール（Crodacol）Ｃ−７０、クローダ社（Croda, Inc.）
5セテアレス（Cetearth）２５、クレモフォア（Cremophor）Ａ２５、ＢＡＳＦ社（BASF Corporation）
6アキュリン（Aculyn）（商標）３３、ローム＆ハース社（Rohm and Hass Company Inc.）
7ナトロゾル（Natrosol）（商標）プラス（Plus）ＣＳグレード３３０、ハーキュレス社（Hercules Incorporated）
8サルケア（Salcare）（商標）ＳＣ  ９０、チバ・スペシャリティ・ケミカルズ社（Ciba Specialty Chemicals Corporation）
9カーボポール（Carbopol）（商標）ウルトレッツ（Ultrez）１０、ノベオン社（Noveon Inc.）
【００９８】
別の実施例では、過酸化水素を含む表５の構成成分（ａ１）３０ｇと、過硫酸塩を含む表５の構成成分（ｂ１）１５ｇとをトレイ内に入れ、へらで混合することにより組成物（５０）を調製した。
【００９９】
【表５】
2010527732.tif 000006
10セテアリルアルコール−クロダコール（Crodacol）ＣＳ−５０、クローダ社（Croda Inc）
11トリデセス２カルボキサミドＭＥＡ−アミノール（Aminol）Ａ１５、カオウ・ケミカルズ社（Kao Chemicals GmbH）
12セテアレス−３０−オイムルギン（Eumulgin）（商標）Ｂ３、コグニス社（Cognis GmbH）
13ペンテト酸五ナトリウム−ベルセネックス（Versenex）８０、ダウ・ケミカルズ社（Dow Chemicals）
19アクリレート／Ｃ１０〜３０アルキルアクリレートクロスポリマー、カーボポール（Carbopol）（商標）ウルトレッツ（Ultrez）２０、ノベオン社（Noveon Inc.）
20ステアリン酸マグネシウム−ラジアスター（Radiastar）（商標）１１００、オレオン社（Oleon NV）
21スルホコハク酸ジエチルヘキシルナトリウム、ゲロポン（Geropon）ＳＳ−０−７５、ローディア社（Rhodia Inc.）
22ＶＰ／ＶＡコポリマー−ルビスコール（Luviskol）（商標）ＶＡ７３Ｅ、ＢＡＳＦ社（BASF Corporation）
23ポリデセン−ピュアシン（Puresyn）（商標）１０００、エクソンモービル・ケミカル社（ExxonMobil Chemical Company）
【０１００】
本明細書に開示される寸法及び値は、列挙された正確な数値に厳密に限定されるものとして理解されるべきではない。それよりむしろ、特に指定されない限り、こうした各寸法は、列挙された値とその値周辺の機能的に同等の範囲の両方を意味することを意図する。例えば、「４０ｍｍ」として開示された寸法は、「約４０ｍｍ」を意味することを意図する。
【図１】
2010527732.tif 000007
【図２Ａ】
2010527732.tif 000008
【図２Ｂ】
2010527732.tif 000009
【図２Ｃ】
2010527732.tif 000010
【図３Ａ】
2010527732.tif 000011
【図３Ｂ】
2010527732.tif 000012
【図３Ｃ】
2010527732.tif 000013
【図４】
2010527732.tif 000014
【図５】
2010527732.tif 000015
【国際調査報告】
2010527732.tif 000016
2010527732.tif 000017
2010527732.tif 000018